【手続補正書】
【提出日】平成19年12月12日(2007.12.12)
【手続補正１】
【補正対象書類名】特許請求の範囲
【補正対象項目名】全文
【補正方法】変更
【補正の内容】
【特許請求の範囲】
【請求項１】
ａ）ヒドロキシ官能性化合物およびポリイソシアネートの、イソシアネート官能性基を有する反応生成物と、
ｂ）式（I）：
【化１】
2005179677.tif 000001
〔式中、
Ｘは、Ｃ1〜Ｃ10の直鎖または分枝アルキル基およびＣ1〜Ｃ10の直鎖または分枝アルコキシ基から選ばれる同じまたは異なる基を表すが、但し存在するＸの少なくとも２つはアルコキシであり、１つまたは２つのＸ基がメトキシである場合、少なくとも１つのＸ基は、Ｃ1〜Ｃ10の直鎖または分枝アルキル基でなければならず、
Ｙは、Ｃ1〜Ｃ8の直鎖または分枝アルキレン基を表し、
Ｒ2およびＲ5は、同じまたは異なるものであり、１００℃またはそれ以下の温度でイソシアネート基に対して不活性である有機基を表し、
Ｒ3およびＲ4は、同じまたは異なるものであり、水素、または１００℃若しくはそれ以下の温度でイソシアネート基に対して不活性である有機基を表す。〕
に相当する化合物と
の反応生成物を含むアルコキシシラン官能性ウレタンを含み、
組成物中に、
（i）アルコキシシラン官能性ウレタンの一部および水を含む第１成分、並びに
（ii）アルコキシシラン官能性ウレタンの残りの部分および触媒を含む第２成分
を含む、二成分接着剤、シーラントまたは塗料組成物。
【請求項２】
ａ）におけるヒドロキシ官能性化合物が、ポリオールである請求項１に記載の組成物。
【請求項３】
ａ）におけるヒドロキシ官能性化合物が、ジオールである請求項１に記載の組成物。
【請求項４】
ヒドロキシ官能性化合物が、ポリエステルモノオール、ジオール、ポリオールおよびそれらの混合物、(メタ)アクリルモノオール、ジオール、ポリオールおよびそれらの混合物、ポリエーテルモノオール、ジオール、ポリオールおよびそれらの混合物、炭化水素モノオール、ジオール、ポリオールおよびそれらの混合物、並びにそれらの混合物からなる群から選ばれる請求項１に記載の組成物。
【請求項５】
式（I）で示される化合物が、Ｎ-(トリアルコキシシリルアルキル)アミンおよびジアルキルマレエートの反応生成物である請求項１に記載の組成物。
【請求項６】
Ｎ-(トリアルコキシシリルアルキル)アミンが、式（II）：
ＮＨ2-Ｒ1-Ｓｉ(-Ｏ-Ｒ6)3      （II）
〔式中、Ｒ1は、Ｃ1〜Ｃ8の直鎖または分枝アルキレン基であり、Ｒ6は、独立にＣ2〜Ｃ10の直鎖または分枝アルキルから選ばれる。〕
により示される構造を有する請求項５に記載の組成物。
【請求項７】
ポリイソシアネートが、２〜６個のイソシアネート基を有する請求項１に記載の組成物。
【請求項８】
ポリイソシアネートが、式（III）：
ＯＣＮ-Ｒ7-ＮＣＯ      （III）
〔式中、Ｒ7は、任意に１個またはそれ以上のイソシアネート基を有していてもよい、Ｃ2〜Ｃ24の直鎖、分枝および環式アルキレン、アリーレンおよびアラルキレンから選ばれる。〕
により示される構造を有する請求項１に記載の組成物。
【請求項９】
ポリイソシアネートが、１,４-テトラメチレンジイソシアネート、１,６-ヘキサメチレンジイソシアネート、２,２,４-トリメチル-１,６-ヘキサメチレンジイソシアネート、１,１２-ドデカメチレンジイソシアネート、シクロヘキサン-１,３-および-１,４-ジイソシアネート、１-イソシアナト-２-イソシアナトメチルシクロペンタン、１-イソシアナト-３-イソシアナトメチル-３,５,５-トリメチルシクロヘキサン、ビス-(４-イソシアナトシクロヘキシル)-メタン、２,４'-ジシクロヘキシルメタンジイソシアネート、１,３-および１,４-ビス-(イソシアナトメチル)-シクロヘキサン、ビス-(４-イソシアナト-３-メチルシクロヘキシル)-メタン、α,α,α',α'-テトラメチル-１,３-ジイソシアネート、α,α,α',α'-１,４-キシリレンジイソシアネート、１-イソシアナト-１-メチル-４(３)-イソシアナトメチルシクロヘキサン、２,４-ヘキサヒドロトルイレンジイソシアネート、２,６-ヘキサヒドロトルイレンジイソシアネート、１,３-フェニレンジイソシアネート、１,４-フェニレンジイソシアネート、２,４-トルイレンジイソシアネート、２,６-トルイレンジイソシアネート、２,４-ジフェニルメタンジイソシアネート、４,４'-ジフェニルメタンジイソシアネート、１,５-ジイソシアナトナフタレン、並びにそれらの混合物からなる群から選ばれる請求項１に記載の組成物。
【請求項１０】
i）および ii）のいずれかまたはそれらの両方中に、均展剤、湿潤剤、流れ調整剤、皮張り防止剤、消泡剤、フィラー、定着剤、粘度調整剤、可塑剤、顔料、染料、ＵＶ吸収剤、熱安定剤、酸化防止剤、およびそれらの混合物からなる群から選ばれる１種またはそれ以上の物質をさらに含む請求項１に記載の組成物。
【請求項１１】
式（I）に相当する化合物の反応性シラン基が、イソシアネート基および式（I）の-ＮＨ-基の反応生成物として組み込まれている請求項１に記載の組成物。
【請求項１２】
ii）における触媒が、パラトルエンスルホン酸、ジブチルスズジラウレート、ジブチルスズアセトアセトネート、トリエチルアミンおよびトリエチルジアミンからなる群から選ばれる１種またはそれ以上である請求項１に記載の組成物。
【請求項１３】
成分 i）および成分 ii）が、どちらも５０℃で安定である請求項１に記載の組成物。
【請求項１４】
ａ）におけるヒドロキシ官能性化合物中のヒドロキシル基対ポリイソシアネート中のイソシアネート基の当量比が、１：１０〜１：１である請求項１に記載の組成物。
【請求項１５】
反応生成物ａ）が、アルコキシシラン官能性ウレタンの５０〜９９質量％で存在し、アミン官能性アスパルテートｂ）が、５０〜１質量％で存在する請求項１に記載の組成物。
【請求項１６】
成分 i）が、組成物の１０〜９０質量％で存在し、成分 ii）が、９０〜１０質量％で存在する請求項１に記載の組成物。
【請求項１７】
ポリエーテルが、５００〜１５,０００の数平均分子量を有する請求項４に記載の組成物。
【請求項１８】
請求項１に記載の成分 i）および成分 ii）を混合することを含む、組成物を基材に適用する方法。
【請求項１９】
請求項１に記載の成分 i）および成分 ii）を組み合わせて、混合物を形成すること、
該混合物の塗膜を、第１基材または第２基材の少なくとも１つの表面に適用すること、および
第１基材の表面と第２基材の表面とを接触させ、その中で該接触表面の少なくとも１つは、それに適用された塗膜を有すること
を含む第１基材を第２基材に接着させる方法。
【請求項２０】
第１基材および第２基材の一方または両方が、木材、金属、プラスチック、紙、キャンバス、セラミック、石材、ガラスおよびコンクリートからなる群から選ばれる基材を含む請求項１９に記載の方法。
【請求項２１】
金属が、鉄またはアルミニウムを含む請求項２０に記載の方法。
【請求項２２】
プラスチックが、ポリ(エチレン)、ポリ(プロピレン)、ポリ(エチレンテレフタレート)、およびそれらの混合物からなる群から選ばれる請求項２０に記載の方法。
【請求項２３】
キャンバスが、綿繊維、ナイロン繊維、ポリ(エチレン)繊維、ポリ(プロピレン)繊維、ポリ(エチレンテレフタレート)繊維、およびそれらの混合物からなる群から選ばれる１種またはそれ以上の繊維を含む請求項２０に記載の方法。
【請求項２４】
第１基材および第２基材を、０℃〜１５０℃の温度で接触させる請求項１９に記載の方法。
【請求項２５】
第１基材および第２基材を、大気圧〜５００ｐｓｉの圧力で接触させる請求項１９に記載の方法。
【請求項２６】
合わせて接着させられた第１基材および第２基材を少なくとも含む、請求項１９の記載により製造されたアセンブリ。
【請求項２７】
請求項１に記載の組成物を、基材表面の少なくとも一部に適用することを含む基材の塗装方法。
【請求項２８】
請求項２７に記載の方法により製造された塗装基材。
【手続補正２】
【補正対象書類名】明細書
【補正対象項目名】００１１
【補正方法】変更
【補正の内容】
【００１１】
本発明は、（i）アルコキシシラン官能性ウレタンの一部および水を含有する第１成分、並びに（ii）アルコキシシラン官能性ウレタンの残りの部分および触媒を含有する第２成分を含有する、二成分接着剤、シーラントおよび／または塗料組成物を提供する。該アルコキシシラン官能性ウレタンは、
ａ）ヒドロキシ官能性化合物およびポリイソシアネートの、イソシアネート官能性基を有する反応生成物と、
ｂ）式（I）：
【化１】
2005179677.tif 000002
〔式中、
Ｘは、Ｃ1〜Ｃ10の直鎖または分枝アルキル基およびＣ1〜Ｃ10の直鎖または分枝アルコキシ基から選ばれる同じまたは異なる基を表すが、但し存在するＸの少なくとも２つはアルコキシであり、１つまたは２つのＸ基がメトキシである場合、少なくとも１つのＸ基は、Ｃ1〜Ｃ10の直鎖または分枝アルキル基でなければならず、
Ｙは、Ｃ1〜Ｃ8の直鎖または分枝アルキレン基を表し、
Ｒ2およびＲ5は、同じまたは異なるものであり、１００℃またはそれ以下の温度でイソシアネート基に対して不活性である有機基を表し、
Ｒ3およびＲ4は、同じまたは異なるものであり、水素、または１００℃若しくはそれ以下の温度でイソシアネート基に対して不活性である有機基を表す。〕
に相当する化合物と
の反応生成物を含む。
【手続補正３】
【補正対象書類名】明細書
【補正対象項目名】００２０
【補正方法】変更
【補正の内容】
【００２０】
本発明の実施態様は、二成分接着剤、シーラントまたは塗料組成物を提供し、該組成物は、
ａ）ヒドロキシ官能性化合物およびポリイソシアネートの、イソシアネート官能性基を有する反応生成物と、
ｂ）式（I）：
【化２】
2005179677.tif 000003
〔式中、
Ｘは、Ｃ1〜Ｃ10の直鎖または分枝アルキル基およびＣ1〜Ｃ10の直鎖または分枝アルコキシ基から選ばれる同じまたは異なる基を表すが、但し存在するＸの少なくとも２つはアルコキシであり、１つまたは２つのＸ基がメトキシである場合、少なくとも１つのＸ基は、Ｃ1〜Ｃ10の直鎖または分枝アルキル基でなければならず、
Ｙは、Ｃ1〜Ｃ8の直鎖または分枝アルキレン基を表し、
Ｒ2およびＲ5は、同じまたは異なるものであり、１００℃またはそれ以下の温度でイソシアネート基に対して不活性である有機基を表し、
Ｒ3およびＲ4は、同じまたは異なるものであり、水素、または１００℃若しくはそれ以下の温度でイソシアネート基に対して不活性である有機基を表す。〕
に相当する化合物（アミン官能性アスパルテート）と
の反応生成物を含有するアルコキシシラン官能性ウレタンを含む。